(57)【要約】【課題】テレビジョン装置から生じる電源オンに伴う妨害スペクトラムの赤外光通信に対する影響を抑制する。【解決手段】録画装置１０は、テレビジョン装置から電源オンになった旨を通知する信号をＨＤＭＩインタフェース２３で受信すると、計時カウンタ部１９で計時を行い、計時時間と基準時間２１との比較を行う。計時時間が基準時間２１を下回る間、録画装置１０は、増幅ゲイン制御部１４で受光ユニット１２の受光に係るゲインを低下させる処理を行って、妨害スペクトラムのノイズによる影響を受光ユニット１２が受けにくくする。計時時間が基準時間２１を上回ると、妨害スペクトラムのノイズレベルも低減されるので、録画装置１０は、受光ユニット１２のゲインを元に戻して、所定の赤外線通信性能を確保する。【選択図】図３
2009118057.tif 000002
【特許請求の範囲】
【請求項１】
表示装置と接続可能な接続インタフェース、および赤外光の受光部を備え、前記接続インタフェースは、接続先の表示装置から発信される電源オンになった旨を通知する電源オン通知信号が受信可能にしてある赤外光受信装置において、
前記接続インタフェースが電源オン通知信号を受信した場合、計時を行う計時手段と、
前記計時手段による計時時間と基準時間とを比較する手段と、
比較の結果に応じて、前記受光部の受光に係るゲインを調整する制御を行う受光ゲイン制御手段と
を備えることを特徴とする赤外光受信装置。
【請求項２】
表示装置と接続可能な接続インタフェース、および赤外光の受光部を備え、前記接続インタフェースは、接続先の表示装置から発信される電源オンになった旨を通知する電源オン通知信号が受信可能にしてある赤外光受信装置において、
前記接続インタフェースが電源オン通知信号を受信した場合、温度を計測する温度計測手段と、
前記温度計測手段による計測温度と基準温度とを比較する手段と、
比較の結果に応じて、前記受光部の受光に係るゲインを調整する制御を行う受光ゲイン制御手段と
を備えることを特徴とする赤外光受信装置。
【請求項３】
表示装置と接続可能な接続インタフェース、および赤外光の受光部を備え、前記接続インタフェースは、接続先の表示装置から発信される電源オンになった旨を通知する電源オン通知信号が受信可能にしてある赤外光受信装置において、
前記接続インタフェースが電源オン通知信号を受信した場合、計時を行う計時手段と、
前記接続インタフェースが電源オン通知信号を受信した場合、温度を計測する温度計測手段と、
前記計時手段による計時時間と基準時間とを比較する第１比較手段と、
前記温度計測手段による計測温度と基準温度とを比較する第２比較手段と、
前記第１比較手段の比較の結果、または前記第２比較手段の比較の結果に応じて、前記受光部の受光に係るゲインを調整する制御を行う受光ゲイン制御手段と
を備えることを特徴とする赤外光受信装置。
【請求項４】
前記受光ゲイン制御手段は、比較の結果、計時時間が基準時間を下回る場合、前記受光部の受光に係るゲインを低下させる制御を行う請求項１または請求項３に記載の赤外光受信装置。
【請求項５】
前記受光ゲイン制御手段は、比較の結果、計測温度が基準温度を下回る場合、前記受光部の受光に係るゲインを低下させる制御を行う請求項２または請求項３に記載の赤外光受信装置。
【請求項６】
前記受光ゲイン制御手段は、比較の結果、計時時間が基準時間を下回る状態から上回る状態になった場合、低下させたゲインを基準ゲイン値まで上昇させる制御を行う請求項４に記載の赤外光受信装置。
【請求項７】
前記受光ゲイン制御手段は、比較の結果、計測温度が基準温度を下回る状態から上回る状態になった場合、低下させたゲインを基準ゲイン値まで上昇させる制御を行う請求項５に記載の赤外光受信装置。
【請求項８】
前記接続インタフェースは、接続先の表示装置から発信される機種を示す機種信号が受信可能であり、
機種ごとの基準時間を記憶する記憶手段と、
前記接続インタフェースが機種信号を受信した場合、受信した機種信号が示す機種に対応付けられた基準時間を計時時間との比較用に前記記憶手段から読み出す手段と
を備える請求項１、請求項３、請求項４、または請求項６のいずれか１項に記載の赤外光受信装置。
【請求項９】
前記接続インタフェースは、接続先の表示装置から発信される機種を示す機種信号が受信可能であり、
機種ごとの基準温度を記憶する記憶手段と、
前記接続インタフェースが機種信号を受信した場合、受信した機種信号が示す機種に対応付けられた基準温度を計測温度との比較用に前記記憶手段から読み出す手段と
を備える請求項２、請求項３、請求項５、または請求項７のいずれか１項に記載の赤外光受信装置。
【発明の詳細な説明】
【技術分野】
【０００１】
本発明は、周囲に位置するテレビジョン装置のような表示装置の電源オン時に発せられる赤外光通信の妨げとなる妨害スペクトラムの影響の抑制を図り、テレビジョン装置の電源オンの際にも安定した赤外光通信を行えるようにした赤外光受信装置に関する。
【背景技術】
【０００２】
従来、各種電気装置（たとえば、テレビジョン装置、録画装置など）は、装置本体と別体のリモートコントロール装置（以下、リモコン装置と称す）を設け、リモコン装置から操作信号を含む赤外光（赤外線）を発するようにして、遠隔操作を可能にしている。また、ＩｒＤＡ（Infrared Data Association）が規格を策定する赤外光通信では、操作信号以外に、画像、音声等のデータを送受できる規定があり、このようなＩｒＤＡの規格に対応した通信部を有する装置間では、赤外光で各種データの無線送受が可能になっている。
【０００３】
一方、電気装置同士を有線で接続する規格には様々なもの存在し、有線規格の中の一つに、テレビジョン装置などのディスプレイ装置と録画装置とを接続する規格のＨＤＭＩ（High-Definition Multimedia Interface）がある。ＨＤＭＩは、映像および音声等のコンテンツ信号を非圧縮で伝送できると共に、コンテンツ信号以外に各種制御信号（例えば、電源オンを通知する信号など）も伝送できるため、接続機器同士が相互に相手の機種を認識するようなインテリジェント機能も提供できる。
【０００４】
なお、下記の特許文献１および特許文献２では、ＨＤＭＩの規格に基づく接続線を用いて映像コンテンツの配信を行うこと、および操作インタフェースの改善を図ることなどが開示されている。また、下記の特許文献３では、インバータ蛍光灯のような連続的な外乱光ノイズの影響に抗してリモコン装置による遠隔操作性を維持するため、赤外光に係る信号の受信に係る信号検出の感度を上げる内容が開示されている。さらに下記の特許文献４では、リモコン装置から発した遠隔操作信号が正常に受信されなかった場合、その原因を表示装置に表示する内容が開示されている。さらにまた、下記の特許文献５では、液晶テレビジョン装置内の温度を温度センサで検出し、検出した温度に伴いバックライトの出力を下げること、およびアンプの出力を下げることが開示されている。
【特許文献１】特開２００６−３５０９１９号公報
【特許文献２】特開２００６−４１５８４号公報
【特許文献３】特開平９−１０２９８７号公報
【特許文献４】特開２００６−６７０２２号公報
【特許文献５】特開２００６−１１０８６号公報
【発明の開示】
【発明が解決しようとする課題】
【０００５】
各種電気装置の中でテレビジョン装置は、液晶パネルのようなディスプレイ画面を有するため、電源オンになるとバックライトのような光源等から暫くの間、赤外線通信に対して妨害スペクトラムとなるノイズを発生する。そのため、テレビジョン装置の周囲に配置された電気機器で赤外線通信が行われると、テレビジョン装置の電源オンに伴う妨害スペクトラムより赤外線通信が影響を受けると云う問題がある。
【０００６】
なお、テレビジョン装置の電源オンによる妨害スペクトラムは、電源オンの直後が最もノイズレベルが高く、時間が経過するにつれてノイズレベルが低下すると云う特性を有する。また、妨害スペクトラムは、テレビジョン装置の周囲温度が低いほど、ノイズレベルが高く、周囲温度が上昇するにつれてノイズレベルが低下すると云う特性も有するので、例えば、冬季の室温が低い状態でテレビジョン装置の電源をオンにすると、ノイズレベルが高くなり、暖房等により室温が高まるにつれて、ノイズレベルは低下していく。さらに、このような妨害スペクトラムに係るノイズレベルは、テレビジョン装置のディスプレイ画面のサイズによっても異なり、一般に画面サイズが大きいほどノイズレベルも大きくなる。
【０００７】
本発明は、斯かる問題に鑑みてなされたものであり、テレビジョン装置と接続可能な電気機器が赤外線通信を行う場合、テレビジョン装置の電源オンに伴い生じる妨害スペクトラムの赤外線通信に対する影響を電源オンからの経過時間、またはそのときの温度に応じて抑制するようにした赤外光受信装置を提供することを目的とする。
【課題を解決するための手段】
【０００８】
上記課題を解決するために本発明に係る赤外光受信装置は、表示装置と接続可能な接続インタフェース、および赤外光の受光部を備え、前記接続インタフェースは、接続先の表示装置から発信される電源オンになった旨を通知する電源オン通知信号が受信可能にしてある赤外光受信装置において、前記接続インタフェースが電源オン通知信号を受信した場合、計時を行う計時手段と、前記計時手段による計時時間と基準時間とを比較する手段と、比較の結果に応じて、前記受光部の受光に係るゲインを調整する制御を行う受光ゲイン制御手段とを備えることを特徴とする。
【０００９】
本発明にあっては、表示装置と接続可能な赤外光受信装置が、表示装置の電源オン通知信号の通知を受けてからの計時時間と基準時間との比較結果に応じて、赤外光の受光に係るゲインを調整するので、表示装置の電源オンによる妨害スペクトラムの影響を受けないように、赤外光受信装置は赤外光に関する受信感度を維持することが可能になる。なお、本発明に係る赤外光受信装置は、表示装置と接続可能な録画装置、音響装置などの中で、リモコン装置からの遠隔操作信号、または映像や音声等のコンテンツデータを赤外光通信により受信できる機能を具備するものが該当し、これらの装置と表示装置との接続は、ＨＤＭＩまたはＩＥＥＥ（Institute of Electrical and Electronics Engineers Inc.）が規格するシリアル通信等の規格に基づくインタフェースを通じて行えば、表示装置からの電源オン通知信号を、赤外光受信装置は受信できるようになる（以下、同様）。
【００１０】
また、本発明に係る赤外光受信装置は、表示装置と接続可能な接続インタフェース、および赤外光の受光部を備え、前記接続インタフェースは、接続先の表示装置から発信される電源オンになった旨を通知する電源オン通知信号が受信可能にしてある赤外光受信装置において、前記接続インタフェースが電源オン通知信号を受信した場合、温度を計測する温度計測手段と、前記温度計測手段による計測温度と基準温度とを比較する手段と、比較の結果に応じて、前記受光部の受光に係るゲインを調整する制御を行う受光ゲイン制御手段とを備えることを特徴とする。
【００１１】
本発明にあっては、表示装置と接続可能な赤外光受信装置が、表示装置の電源オン通知信号の通知を受けると、温度を計測し、計測温度と基準温度との比較結果に応じて、赤外光の受光に係るゲインを調整するので、表示装置の電源がオンになったときの温度に合わせて、妨害スペクトラムの影響のレベルを適宜調整できるようになる。
【００１２】
さらに、本発明に係る赤外光受信装置は、表示装置と接続可能な接続インタフェース、および赤外光の受光部を備え、前記接続インタフェースは、接続先の表示装置から発信される電源オンになった旨を通知する電源オン通知信号が受信可能にしてある赤外光受信装置において、前記接続インタフェースが電源オン通知信号を受信した場合、計時を行う計時手段と、前記接続インタフェースが電源オン通知信号を受信した場合、温度を計測する温度計測手段と、前記計時手段による計時時間と基準時間とを比較する第１比較手段と、前記温度計測手段による計測温度と基準温度とを比較する第２比較手段と、前記第１比較手段の比較の結果、または前記第２比較手段の比較の結果に応じて、前記受光部の受光に係るゲインを調整する制御を行う受光ゲイン制御手段とを備えることを特徴とする。
【００１３】
本発明にあっては、表示装置と接続可能な赤外光受信装置が、表示装置の電源オン通知信号の通知を受けると、通知を受けてからの時間を計ると共に、温度を計測し、計測時間と基準時間との比較結果または計測温度と基準温度との比較結果に応じて、赤外光の受光に係るゲインを調整するので、表示装置の電源オンに伴い生じる妨害スペクトラムの影響レベルを、経過した時間または装置周囲の温度に合わせて適宜調整できるようになる。
【００１４】
本発明に係る赤外光受信装置は、前記受光ゲイン制御手段は、比較の結果、計時時間が基準時間を下回る場合、前記受光部の受光に係るゲインを低下させる制御を行うことを特徴とする。
【００１５】
本発明にあっては、計時時間が基準時間を下回るような時間帯、すなわち、表示装置が電源オンになってから、長時間経過していない間は、表示装置からの妨害スペクトラムの影響レベル（妨害レベル）は高い状態になっているため、受光部の受光に係るゲインを低下させることにより、妨害レベルが高い状態の妨害スペクトラムの影響を受光部が受けにくい状態をつくれる。そのため、表示装置が電源オンになってからの暫くの間でも、妨害スペクトラムの影響を抑制して受光部が受光すべき対象の赤外光を受信しやすい状態を確保できるようになる。
【００１６】
また、本発明に係る赤外光受信装置は、前記受光ゲイン制御手段は、比較の結果、計測温度が基準温度を下回る場合、前記受光部の受光に係るゲインを低下させる制御を行うことを特徴とする。
【００１７】
本発明にあっては、計測温度が基準温度を下回るような時間帯、すなわち、表示装置が電源オンになってから、未だ温度が低い間は、表示装置からの妨害スペクトラムの影響レベル（妨害レベル）は高い状態になっているため、受光部の受光に係るゲインを低下させることにより、妨害レベルが高い状態の妨害スペクトラムの影響を受光部が受けにくい状況をつくれる。そのため、例えば、冬季にユーザが無人宅に帰宅して室温が低い状態で表示装置の電源をいれて、暖房等により室内温度が高くなるのを待つ間でも、妨害スペクトラムの影響を抑制して受光部が受光すべき対象の赤外光を受信しやすい状態を確保できるようになる。
【００１８】
また、本発明に係る赤外光受信装置は、前記受光ゲイン制御手段が、比較の結果、計時時間が基準時間を下回る状態から上回る状態になった場合、低下させたゲインを基準ゲイン値まで上昇させる制御を行うことを特徴とする。
【００１９】
本発明にあっては、表示装置の電源をオンしてから時間が経過することにより、表示装置が電源オンになって生じる妨害スペクトラムの影響レベルが下がれば、受光部の低下させていたゲインを基準ゲイン値まで上昇させるので、赤外光通信に係る受光レベルを通常状態に戻すことができ、赤外光受信装置の仕様として想定されている所定の遠隔操作性およびデータの送受に係る無線通信性能を確保できるようになる。なお、計時時間との比較対象となる基準時間は、一般的な表示装置において、妨害スペクトラムが赤外光通信に影響を及ぼすレベルがほぼ無くなる位までに要する電源オンからの経過時間の値を適用することになる。
【００２０】
さらに、本発明に係る赤外光受信装置は、前記受光ゲイン制御手段が、比較の結果、計測温度が基準温度を下回る状態から上回る状態になった場合、低下させたゲインを基準ゲイン値まで上昇させる制御を行うことを特徴とする。
【００２１】
本発明にあっては、表示装置の電源をオンの後に温度が上昇することにより、表示装置の電源オンに伴って生じる妨害スペクトラムの影響レベルが下がれば、受光部の低下させていたゲインを基準ゲイン値まで上昇させるので、赤外光通信に係る受光レベルを通常状態に戻すことができ、赤外光受信装置の仕様として想定されている所定の遠隔操作性およびデータの送受に係る無線通信性能をユーザに提供できるようになる。なお、計測温度との比較対象となる基準温度は、一般的な表示装置において、妨害スペクトラムが赤外光通信に影響を及ぼすレベルがほぼ無くなる程度の温度の値を適用することになる。
【００２２】
さらに、本発明に係る赤外光受信装置は、前記接続インタフェースは、接続先の表示装置から発信される機種を示す機種信号が受信可能であり、機種ごとの基準時間を記憶する記憶手段と、前記接続インタフェースが機種信号を受信した場合、受信した機種信号が示す機種に対応付けられた基準時間を計時時間との比較用に前記記憶手段から読み出す手段とを備えることを特徴とする。
【００２３】
本発明にあっては、赤外光受信装置の接続インタフェースは、接続先の表示装置の機種信号を受信できるので、赤外光受信装置が機種ごとの基準時間を記憶しておけば、接続先の表示装置に応じた基準時間を用いた比較処理により、接続先の表示装置に伴う妨害スペクトラムの影響レベルにマッチした受光部のゲイン調整を行える。すなわち、妨害スペクトラムの程度は、表示装置のディスプレイ画面のサイズ等によって異なるので、記憶する基準時間の中から、機種ごとのディスプレイ画面のサイズ等に応じた基準時間を用いて比較処理を行えば、各機種のディスプレイ画面のサイズ等に基づく妨害スペクトラムの影響レベルに合わせたゲイン調整が可能となる。なお、記憶する機種ごとの基準時間は、各機種のディスプレイ画面のサイズ等によって異なる妨害スペクトラムのノイズレベルに対応した値となり、基本的にノイズレベルが大きい機種には長い時間の値が設定され、相対的に比較してノイズレベルが小さい機種には短い時間の値が設定されることになる。
【００２４】
さらにまた、本発明に係る赤外光受信装置は、前記接続インタフェースは、接続先の表示装置から発信される機種を示す機種信号が受信可能であり、機種ごとの基準温度を記憶する記憶手段と、前記接続インタフェースが機種信号を受信した場合、受信した機種信号が示す機種に対応付けられた基準温度を計測温度との比較用に前記記憶手段から読み出す手段とを備えることを特徴とする。
【００２５】
本発明にあっては、温度に関しても表示装置の機種ごとに応じた比較処理を実現できるようになる。すなわち、赤外光受信装置は機種ごとの基準温度を記憶しておけば、赤外光受信装置の接続インタフェースは、接続先の表示装置の機種信号が受信可能であるので、記憶する基準温度の中から、受信した機種信号に応じた基準温度を用いて比較処理を行うことにより、接続先の表示装置に伴う妨害スペクトラムの影響レベルにマッチした受光部のゲイン調整を行える。なお、記憶する機種ごとの基準温度は、ノイズレベルが大きい機種には相対的に高い温度値が設定され、相対的に比較してノイズレベルが小さい機種には低い温度値が設定されることになる。
【発明の効果】
【００２６】
本発明にあっては、表示装置の電源オン後の経過時間と基準時間との比較処理の結果に応じて、表示装置の電源オンに伴う妨害スペクトラムの影響を受けないように受光部に係るゲイン調整を行うので、表示装置の電源オンの直後であっても、赤外光に関する所定の受信感度を維持して、赤外光受信装置に対する遠隔操作性およびデータ送受性能の低下を防止できる。
また、本発明にあっては、表示装置の電源がオンされたときの温度と基準時間との比較処理の結果に応じて、表示装置の電源オンに伴う妨害スペクトラムの影響を受けないように受光部に係るゲイン調整を行うので、表示装置の電源がオンされたときの温度にかかわらず、赤外光に関する所定の受信感度を維持して、赤外光受信装置に対する遠隔操作性およびデータ送受性能の低下を防止できる。
【００２７】
さらに、本発明にあっては、表示装置の電源オン後の経過時間と基準時間との比較処理の結果、または表示装置の電源がオンされたときの温度と基準温度との比較処理の結果の少なくとも一方の結果に応じて、表示装置の電源オンに伴う妨害スペクトラムの影響を受けないように受光部に係るゲイン調整を行うので、赤外光に関する所定の受信感度を維持して、赤外光受信装置に対する所定の遠隔操作性およびデータ送受性能の低下を一段と適切に防止できる。
【００２８】
本発明にあっては、表示装置の電源がオンになってからの計時時間が基準時間を下回る場合、受光部の受光に係るゲインを低下させるので、表示装置の電源がオン直後の妨害スペクトラムのノイズレベルが高い状態に応じたゲイン調整を行える。
また、本発明にあっては、表示装置の電源がオンになったときの計測温度が基準温度を下回る場合、受光部の受光に係るゲインを低下させるので、装置周囲の温度が低いために表示装置の妨害スペクトラムのノイズレベルが高くなっている状態に応じたゲイン調整を行える。
【００２９】
本発明にあっては、表示装置の電源をオンしてからの時間が基準時間を経過することにより、妨害スペクトラムの影響レベルが下がれば、受光部の低下させていたゲインを基準ゲイン値まで戻すので、赤外光通信に係る受光レベルを通常状態に回復させて、所定の遠隔操作性およびデータ送受に係る無線通信性能を確保できる。
本発明にあっては、表示装置の電源をオンしてからの時間が経過して赤外光受信装置で計測される温度が基準温度を上回れば、受光部の低下させていたゲインを基準ゲイン値まで戻すので、赤外光通信に係る受光レベルを通常状態に回復させて、所定の遠隔操作性およびデータ送受に係る無線通信性能を確保できる。
【００３０】
本発明にあっては、赤外光受信装置が機種ごとの基準時間を記憶しておき、接続インタフェースを通じて受信した接続先の表示装置の機種信号に応じた基準時間を、記憶する基準時間の中から選んで比較処理に用いるので、接続先の表示装置ごとの妨害スペクトラムの影響レベルに合わせたゲイン調整を行える。
また、本発明にあっては、赤外光受信装置が機種ごとの基準温度を記憶しておき、接続インタフェースを通じて受信した接続先の表示装置の機種信号に応じた基準温度を、記憶する基準時間の中から選んで比較処理に用いるので、接続先の表示装置ごとの妨害スペクトラムの影響レベルに合わせたゲイン調整を行える。
【発明を実施するための最良の形態】
【００３１】
図１は、本発明の実施形態に係る録画装置１０（赤外光受信装置に相当）を、テレビジョン装置５（表示装置に相当）にＨＤＭＩケーブルＫで接続した状態を示している。録画装置１０は、別体のリモコン装置１から発せられる操作信号を含む赤外光を受光ユニット１２で受信（受光）して、リモコン装置１によって遠隔操作ができるものである。本実施形態の録画装置１０は、ＨＤＭＩケーブルＫによる接続先のテレビジョン装置５が電源オフの状態から電源オンになることで発せられる赤外光通信に対する妨害スペクトラムの影響を抑制するように赤外光ユニット１２に係るゲインを調整することを特徴としている。
【００３２】
なお、テレビジョン装置５は、電源オンに伴ってディスプレイ画面５ａおよび内部のバックライト等から赤外光通信に対する妨害スペクトラムのノイズが発生するが、このノイズの発生レベルは、電源オンからの経過時間と、テレビジョン装置５が設置されている場所の温度と云う２つの要素により変化する特性を有する。
【００３３】
図２（ａ）は、テレビジョン装置５から生じる妨害スペクトラムのノイズ発生レベルが、電源オンからの経過時間に伴って変化する状況を示したグラフである。この図２（ａ）のグラフより、電源オン直後のノイズ発生レベルが最も高く、以降、時間が経過するにつれてノイズ発生レベルが低下していくことが分かる。
【００３４】
また、図２（ｂ）は、テレビジョン装置５から生じる妨害スペクトラムのノイズ発生レベルが、テレビジョン装置５の周囲の温度の高低により変化する状況を示したグラフである。この図２（ｂ）のグラフより、テレビジョン装置５から生じる妨害スペクトラムのノイズ発生レベルは、装置周囲の温度が低いほど高く、装置周囲の温度が上昇するにつれて（高くなるにつれて）低下する。そのため、テレビジョン装置５を設置した室内温度が低い状態（例えば、冬季に室内が暖房されていない状態）で、電源をオンすれば、図５（ａ）のノイズ発生特性と合わせて、最もノイズ発生レベルが高い状態となり、暖房等により室内温度を高めると共に、テレビジョン装置５の作動により装置温度が上昇することで、ノイズ発生レベルが低くなる。
【００３５】
さらに、図１に示すテレビジョン装置５は、ＨＤＭＩケーブルＫの接続に対応した接続インタフェースを有しており、ＨＤＭＩケーブルＫを通じて録画装置１０から送信されてくる動画データ等のコンテンツデータをディスプレイ画面５ａに表示できる。さらにまた、テレビジョン装置５は、コンテンツデータ以外の各種信号も録画装置１０との間で送受可能となっており、具体的にテレビジョン装置５は、ユーザの操作または図示しないタイマー等の設定により電源オフの状態から電源オンになると、電源オンになった旨を通知する電源オン通知信号をＨＤＭＩケーブルＫが接続された接続インタフェースを通じて録画装置１０へ発信する仕様になっている。なお、テレビジョン装置５は、電源オン通知信号の発信と共に、メーカ名・機種型番等を表す機種信号も発信する仕様になっている。
【００３６】
また、図１に示すリモコン装置１は、長板状の筐体２の上面に、上下左右キー、決定キー等の複数のキーからなる操作部４を有すると共に、筐体２の先端部２ａに送信部３を有している。リモコン装置１は、操作部４に含まれるいずれかのキーがユーザにより操作されると、操作を受け付けたキーに応じた操作信号を含む赤外光を送信部３より発信するようになっており、このように送信される赤外光の録画装置１０での受光が、上述した妨害スペクトラムの影響を受けることになる。
【００３７】
図３は、録画装置１０の本発明に関連する部分の仕様を示すブロック図である。録画装置１０は、装置全体に係る各種制御を行う制御部１６に、受光ユニット１２、操作部１７、温度センサ１８、計時カウンタ部１９、メモリ２０、およびＨＤＭＩインタフェース２３を接続した構成になっている。
【００３８】
受光ユニット１２は、上述したリモコン装置１から発信される赤外光の受光部に相当し、フォトダイオードからなる受光素子１３、受光素子１３で受光された赤外光の光レベルの増幅およびＡＧＣ（Auto Gain Controller）等に応じた制御処理を行う増幅ゲイン制御部１４、およびコンパレータ１５を含んでいる。増幅ゲイン制御部１４は、制御部１６の制御指示に従って、受光ユニット１２の受光に係るゲインを調整する制御を行っており、ゲインを上昇または低下させて受光素子１３で受光された赤外光に対するゲイン調整を行う。なお、受光ユニット１２で受光された赤外光に含まれる操作信号は、制御部１６へ伝えられる。
【００３９】
また、操作部１７は、複数の操作キーで構成されており、各操作キーがユーザにより操作されると、操作対象の操作キーに応じた操作信号が制御部１６へ伝えられるようになっている。
【００４０】
温度センサ１８は、温度を計測する温度計測手段に相当し、制御部１６から温度の問合要求の信号を受けると、最新の計測温度を制御部１６へ伝える処理を行い、出力停止の通知を受けるまで、計測温度を制御部１６へ出力する処理を行う。また、計時カウンタ部１９は、計時を行う計時手段に相当し、制御部１６からの計時開始指示に伴い計時を行って、計時時間を継続的に制御部１６へ出力する処理を行い、制御部１６からの計時終了の指示に伴い、計時および計時時間の出力処理を停止する。
【００４１】
メモリ２０は、本発明に関連する制御部１６の処理で用いられる基準時間２１および基準温度２２を予め記憶する記憶手段に相当する。なお、本実施形態は、メモリ２０に記憶される基準時間２１の数値として、図２（ａ）に示すように、ノイズ発生レベルが受光ユニット１２での受光に対する影響が、図２（ａ）のグラフにおけるピーク値より低くなったレベルＬ１（急激に変化する範囲と、緩やかに変化する範囲の境目の点）に対応する時間Ｔ１を用いている。また、本実施形態は、メモリ２０に記憶される基準温度２２の数値も、図２（ｂ）に示すように、ノイズ発生レベルが受光ユニット１２での受光に対する影響が、図２（ｂ）のグラフにおけるピーク値より低くなったレベルＬ２に対応する温度Ｃ１を用いている。
【００４２】
図３に示すＨＤＭＩインタフェース２３は、外部の表示装置（本実施形態では図１のテレビジョン装置５）と接続可能な接続インタフェースに相当し、図１のテレビジョン装置５からの電源オン通知信号を受信でき、電源オン通知信号を受信した場合、その旨を制御部１６へ伝える処理を行う。また、ＨＤＭＩインタフェース２３は、制御部１６の制御に従って、コンテンツデータ（動画データ等）を送信すること、および制御信号等の各種信号も送受可能になっている。
【００４３】
なお、録画装置１０は、図３に示す内容以外にも、テレビジョン放送の受信ユニット、外部入力端子、録画処理部、録画用記憶媒体（ハードディスク装置等）も具備しているが、これらの図示を図３では省略している。
【００４４】
次に、制御部１６が行う本発明に関する処理内容を説明する。制御部１６は、テレビジョン装置５の電源オンからの経過時間、およびテレビジョン装置５の電源オンになったときの温度に応じて、受光ユニット１２に含まれる増幅ゲイン制御部１４がゲインを調整するように、増幅ゲイン制御部１４に対して制御指示を出している。本実施形態では、テレビジョン装置５の電源オンからの経過時間に基づく処理を主にしてゲイン調整を行い、温度に基づくゲイン調整は補足的に行うようにしている。
【００４５】
まず、テレビジョン装置５の電源オンからの経過時間に基づく制御部１６の処理を説明する。制御部１６は、ＨＤＭＩインタフェース２３から電源オン通知信号を受信した旨が伝えられると、時計カウンタ部１９へ計時開始の指示を出力し、時計カウンタ部１９から随時伝えられる計時時間を、メモリ２０に記憶された基準時間２１と比較する処理を行う。比較の結果、計時時間が基準時間２１を下回る場合、制御部１６は、増幅ゲイン制御部１４のゲイン値を、デフォルト値（基準ゲイン値に相当）から低下させる制御指示を増幅ゲイン制御部１４へ出力する処理を開始する。なお、増幅ゲイン制御部１４は、ゲイン値を低下させる制御指示を受け付けると、テレビジョン装置５からの妨害スペクトラムのノイズレベルの影響を受けにくい程度までゲイン値を低下させる処理を行い、制御部１６からゲイン値を低下させる指示の受信中、ゲイン値を低下させる処理を維持する。
【００４６】
そして、制御部１６は、時計カウンタ部１９からの計時時間が、基準時間２１以上になると、時計カウンタ部１９へ計時終了の指示を出力すると共に、増幅ゲイン制御部１４へ、ゲイン値をデフォルト値まで上昇させる制御指示を出力する。これらの指示を受けて、時計カウンタ部１９は計時処理を停止して、計時時間をリセットし、増幅ゲイン制御部１４は元のゲイン値（基準ゲイン値）にゲインを戻す処理を行うことになる。
【００４７】
また、電源オンになったときの温度に基づく制御部１６の処理は、ＨＤＭＩインタフェース２３から電源オン通知信号を受信した旨が制御部１６へ伝えられると、制御部１６は、温度センサ１８へ温度問合の要求信号を出力し、温度センサ１８から随時伝えられる計測温度を、メモリ２０に記憶された基準温度２２と比較する処理を行う。比較の結果、計測温度が基準温度２２を下回る場合、制御部１６は、増幅ゲイン制御部１４のゲイン値を、デフォルト値から低下させる制御指示を増幅ゲイン制御部１４へ出力する処理を開始する。そして、制御部１６は、温度センサ１８からの計時温度が、基準温度２２以上になると、温度センサ１８へ出力停止の指示を出力すると共に、増幅ゲイン制御部１４へ、ゲイン値をデフォルト値まで上昇させる制御指示を出力する。これらの指示を受けて、温度センサ１８は温度計測処理を停止し、増幅ゲイン制御部１４は元のゲイン値（基準ゲイン値）にゲインを戻す処理を行うことになる。
【００４８】
図４に示す第１フローチャートは、上述した計時時間に基づくゲイン調整に関する録画装置１０（制御部１６）の一連の処理内容を整理したものである。この第１フローチャートに従って再度、計時時間に基づくゲイン調整を説明すると、録画装置１０（制御部１６）は、テレビジョン装置５から電源オン通知信号を受信したか否かを判断する（Ｓ１）。受信しない場合（Ｓ１：ＮＯ）、受信待ちの状態となり、受信した場合（Ｓ１：ＹＥＳ）、時計カウンタ部１９を用いて計時を開始し（Ｓ２）、計時時間と基準時間２１とを比較して、計時時間が基準時間２１以上になったか否かを判断する（Ｓ３）。
【００４９】
計時時間が基準時間２１以上でない場合、すなわち、基準時間２１を下回る場合（Ｓ３：ＮＯ）、録画装置１０は、受光ユニット１２の受光に係るゲインを低下させるようにゲイン調整を行う（Ｓ４）。なお、電源オンからの経過時間が基準時間２１以上にならない間は、受光ユニット１２のゲイン低下が維持されることになる。また、計時時間が基準時間２１以上になると（Ｓ３：ＹＥＳ）、録画装置１０が、低下させていたゲインをデフォルト値に戻す処理を行う（Ｓ５）。
【００５０】
以上のような処理を録画装置１０が行うことで、図２（ａ）に示すように、電源オン直後にテレビジョン装置５から発せられる妨害スペクトラムのノイズの影響を、受光ユニット１２が受けにくくなり、テレビジョン装置５の電源オンの直後であっても、リモコン装置１を用いて安定した遠隔操作を行える。また、電源オンから所定の時間（基準時間）が経過すると、録画装置１０は受光ユニット１２のゲインを元に戻すので、設計通りの仕様に基づいたリモコン装置１の遠隔操作性をユーザに提供できる。
【００５１】
また、図５に示す第２フローチャートは、上述した計測温度に基づくゲイン調整に関する録画装置１０（制御部１６）の一連の処理内容を整理したものであり、録画装置１０は、このような処理を、図４の第１フローチャートに示す処理と共に行って、計時時間に基づくゲイン調整の処理を、温度に基づく処理で補って、リモコン装置１で常に良好な遠隔操作性を維持できるようにしている。
【００５２】
この第２フローチャートに従って、計測した温度に基づくゲイン調整を説明すると、録画装置１０（制御部１６）は、テレビジョン装置５から電源オン通知信号を受信したか否かを判断し（Ｓ１０）、受信しない場合（Ｓ１０：ＮＯ）、受信待ちの状態となり、受信した場合（Ｓ１０：ＹＥＳ）、温度センサ１８で温度計測を行い（Ｓ１１）、計測温度と基準温度２２とを比較して、計測温度が基準温度２２以上になったか否かを判断する（Ｓ１２）。
【００５３】
計測温度が基準温度２２以上でない間（Ｓ１２：ＮＯ）、録画装置１０は、受光ユニット１２の受光に係るゲインを低下させるようにゲイン調整を行い（Ｓ１３）、計測温度が基準温度２２以上になると（Ｓ１２：ＹＥＳ）、録画装置１０が、低下させていたゲインをデフォルト値に戻す処理を行う（Ｓ１４）。
【００５４】
以上のような処理を録画装置１０が行うことで、例えば、図４に示す第１フローチャートにより、電源オンからの経過時間が基準時間２１を上回っても、依然としてテレビジョン装置５および録画装置１０の設置された場所の温度が低いため、基準温度２２を上回らない状況に対しても有効な処理を行える。この場合、録画装置１０は、図５に示す第２フローチャートの処理により、ゲインを低下させて依然として強いレベルにある妨害スペクトラムのノイズの影響を抑制して、リモコン装置１による安定した遠隔操作を行える。
【００５５】
なお、本発明は上述した実施形態に限定されるものではなく種々の変形例が存在する。例えば、録画装置１０の接続対象となる表示装置は、一般的なテレビジョン装置５以外にも、パーソナルコンピュータのモニタ装置のようなテレビジョン放送の受信機能を有しない表示装置も、ＨＤＭＩのような接続インタフェースを具備していれば、本発明の接続対象の表示装置として適用できる。また、録画装置１０と表示装置を接続する規格にはＨＤＭＩ以外にも、ＩＥＥＥ（Institute of Electrical and Electronics Engineers Inc.）が規格するシリアル通信等の規格の中で、電源オン通知信号等を送受できるものの適用が可能である。
【００５６】
さらに、本発明の対象となる赤外光受信装置には、上述した録画装置１０以外に、リモコン装置で遠隔操作を行えて、表示装置と接続できる装置を適用可能であり、例えば、テレビジョン装置の音響面を担うオーディオ装置、または放送番組の受信機能を担うセットトップボックス等にも上述した構成を適用してもよい。さらにまた、赤外光通信の対象は、リモコン装置１の遠隔操作によるもの以外にも、ＩｒＤＡ（Infrared Data Association）で規定されるＩｒＳｉｍｐｌｅの様な規格に基づく画像データ等のコンテンツデータの赤外光通信に対しても本発明は適用可能である。
【００５７】
また、上述した実施形態では、図４に示す第１フローチャートの処理と図５の第２フローチャートの処理の両方を録画装置１０が行うようになっているが、装置仕様の簡略化を図る場合は、いずれか一方のみの処理を行うようにすることも可能である。
【００５８】
また、録画装置１０の接続先となる表示装置のディスプレイ画面サイズの相異による妨害スペクトラムのレベル程度に応じて、より詳細に電源オンからの経過時間との比較対象となる基準時間または測定した温度との比較対象となる基準温度の値を選定する構成にすることも考えられる。
【００５９】
この変形例の場合は、図６（ａ）に示すような基準時間テーブル３０と、図６（ｂ）に示す基準温度テーブルを図３に示すメモリ２０に記憶することになる。基準時間テーブル３０は、表示装置の機種ごとに、その機種の妨害スペクトラムのノイズが影響を及ぼさない程度に低下する電源オンからの時間を規定した基準時間（第１基準時間、第２基準時間等）を格納したものである。また、基準温度テーブル３１は、表示装置の機種ごとに、その機種の妨害スペクトラムのノイズが影響を及ぼさない程度になる温度を規定した基準温度（第１基準温度、第２基準温度等）を格納したものである。
【００６０】
また、上述した基準時間テーブル３０、基準温度テーブル３１を用いる変形例では、テレビジョン装置５が電源オン通知信号と共に送信してくる機種信号を録画装置１０がＨＤＭＩインタフェース２３で受信すると、その受信した機種信号が示す機種に対応付けられた基準時間、基準温度を基準時間テーブル３０、基準温度テーブル３１から制御部１６が読み出すことになる。そして、読み出した基準時間、基準温度を、制御部１６は図４の第１フローチャートのＳ３の段階、図５の第２フローチャートのＳ１２の段階でそれぞれ用いることで、機種に応じた基準値でゲイン調整に係る条件を設定でき、一段と適切にゲイン調整に係る処理を行える。なお、上述した各種変形例は、適宜組み合わせて用いることも、もちろん可能である。
【図面の簡単な説明】
【００６１】
【図１】本発明の実施形態に録画装置の接続状態を示す概略図である。
【図２】（ａ）は、テレビジョン装置から発せられるノイズ発生レベルと時間との関係を示すグラフ、（ｂ）はノイズ発生レベルと温度との関係を示すグラフである。
【図３】実施形態に係る録画装置の主要な内部構成を示すブロック図である。
【図４】電源オンから経過した時間に基づくゲイン調整に係る処理を示す第１フローチャートである。
【図５】温度に基づくゲイン調整に係る処理を示す第２フローチャートである。
【図６】（ａ）は機種ごとに基準時間を格納した基準時間テーブルを示す図表、（ｂ）は機種ごとに基準温度を格納した基準温度テーブルを示す図表である。
【符号の説明】
【００６２】
１  リモコン装置
５  テレビジョン装置
１０  録画装置
１２  受光ユニット
１３  受光素子
１４  増幅ゲイン制御部
１６  制御部
１８  温度センサ
１９  計時カウンタ部
２０  メモリ
２１  基準時間
２２  基準温度
２３  ＨＤＭＩインタフェース
【図１】
2009118057.tif 000003
【図２】
2009118057.tif 000004
【図３】
2009118057.tif 000005
【図４】
2009118057.tif 000006
【図５】
2009118057.tif 000007
【図６】
2009118057.tif 000008